(57)【要約】【課題】移動するヘッドユニットをフレキシブル基板で配線する構造で通信エラーが発生しないフレキシブル配線ユニットを提供する。【解決手段】ヘッドユニット１２０が往復移動されると金属ベース１１０に対向するフレキシブル基板２１０の下面の前後長が変化する。しかし、このように対向するフレキシブル基板２１０の下面と金属ベース１１０の上面とに、所定の板厚の非導電性の基板スペーサ部材３１２が常時介在している。このため、金属ベース１１０との容量の変化によるフレキシブル基板２１０のインピーダンスの変動が所定範囲に維持される。【選択図】図１
2009009631.tif 000002
【特許請求の範囲】
【請求項１】
前後方向に細長形状で長手方向に内部配線が形成されていて上方にＵ字状に湾曲されるフレキシブル基板と、
前記フレキシブル基板の末端部分に搭載されていて前記内部配線に接続されている接続コネクタと、
上面に前記フレキシブル基板の末端部分が連結されている非導電性の末端支持部材と、
先端部分が所定の移動範囲の最前位置に配置された状態での前記フレキシブル基板の下面全体に対向する、所定の板厚の非導電性の基板スペーサ部材と、
を有するフレキシブル配線ユニット。
【請求項２】
前記末端支持部材と前記基板スペーサ部材とが一体に形成されている請求項１に記載のフレキシブル配線ユニット。
【請求項３】
前記フレキシブル基板は、前記内部配線を一層のみ有する単層構造に形成されている請求項１または２に記載のフレキシブル配線ユニット。
【請求項４】
前記フレキシブル基板は、金属ベースの上面と平行に往復移動するヘッドユニットが前記先端部分に搭載されて前記内部配線に接続され、
前記末端支持部材は、前記金属ベースの上面に搭載される請求項１ないし３の何れか一項に記載のフレキシブル配線ユニット。
【請求項５】
金属ベースの上面と平行にヘッドユニットが線形に往復移動する構造の電子機器であって、
前記金属ベースと、
前後方向に細長形状で上方にＵ字状に湾曲されているフレキシブル基板と、
前記フレキシブル基板の先端部分に搭載されていて内部配線に接続されている前記ヘッドユニットと、
前記金属ベースの上面と平行に前記ヘッドユニットを線形に往復移動させるヘッド移動機構と、
前記フレキシブル基板の末端部分に搭載されていて前記内部配線に接続されている接続コネクタと、
上面に前記フレキシブル基板の末端部分が連結されていて前記金属ベースの上面に搭載されている非導電性の末端支持部材と、
前記金属ベースの上面に搭載されていて前記ヘッドユニットが移動範囲の最前位置に配置された状態での前記フレキシブル基板の下面全体に対向する、所定の板厚の非導電性の基板スペーサ部材と、
を有する電子機器。
【請求項６】
前記末端支持部材と前記基板スペーサ部材とが一体に形成されている請求項５に記載の電子機器。
【請求項７】
前記フレキシブル基板は、前記内部配線を一層のみ有する単層構造に形成されている請求項５または６に記載の電子機器。
【発明の詳細な説明】
【技術分野】
【０００１】
本発明は、第一線形部分と中間線形部分と第二線形部分とがクランク状に連続した平面形状のフレキシブル配線ユニットと、このフレキシブル配線ユニットを利用した電子機器と、に関する。
【背景技術】
【０００２】
現在、電子機器であるディスクドライブ装置は、金属ベースの上面と平行にヘッドユニットが線形に往復移動する構造に形成されている。このような電子機器の一従来例を図７を参照して以下に説明する。
【０００３】
ここで例示する電子機器であるディスクドライブ装置１００は、金属ベース１１０、ヘッドユニット１２０、ヘッド移動機構(図示せず)、ディスク駆動機構１３０、フレキシブル配線ユニット２００、等を主要部として有する。
【０００４】
金属ベース１１０は、上面が平坦な平板状に形成されている。ディスク駆動機構１３０は、駆動モータ１３１、ディスク保持部１３２、等を有する。駆動モータ１３１は、軸心方向が上下方向となる状態で金属ベース１１０の上面に固定されている。ディスク保持部１３２は、駆動モータ１３１により回転自在に軸支されており、ディスク媒体１４０を金属ベース１１０の上面と平行に保持する。
【０００５】
フレキシブル配線ユニット２００は、フレキシブル基板２１０、接続コネクタ２２０、末端支持部材２３０、等を有する。フレキシブル基板２１０は、前後方向に細長形状に形成されており、上方にＵ字状に湾曲されている。
【０００６】
フレキシブル基板２１０は、ヘッドユニット１２０が先端部分に搭載されて内部配線(図示せず)に接続されている。接続コネクタ２２０は、フレキシブル基板２１０の末端部分に搭載されていて内部配線に接続されている。
【０００７】
末端支持部材２３０は、上面にフレキシブル基板２１０の末端部分が連結されていて金属ベース１１０の上面に搭載されている。なお、接続コネクタ２２０には、通信ケーブルによりドライバ回路が配線されている(図示せず)。
【０００８】
上述のような構造のディスクドライブ装置１００では、ディスク駆動機構１３０によりディスク媒体１４０が回転駆動され、そのディスク媒体１４０の下面と平行に半径方向にヘッドユニット１２０が往復移動される。
【０００９】
このヘッドユニット１２０にはフレキシブル配線ユニット２００のフレキシブル基板２１０を介してドライバ回路が配線されているので、このドライバ回路がヘッドユニット１２０によりディスク媒体１４０にデータ読出やデータ書込などのデータ読書を実行する。
【００１０】
上述のようなディスクドライブ装置１００では、一般的にフレキシブル基板２１０は内部配線を一層のみ有する単層構造に形成されている。このため、フレキシブル基板２１０が柔軟でヘッドユニット１２０が円滑に移動することができる。
【００１１】
なお、上述のようなフレキシブル配線ユニット２００は、フレキシブル基板２１０の末端部分に末端支持部材２３０が搭載されているので、柔軟なフレキシブル基板２１０の取り扱いが容易である。
【００１２】
なお、上述のような構造の電子機器としては各種の提案がある(例えば、特許文献１参照)。
【特許文献１】特開２０００−１７３２００号公報
【発明の開示】
【発明が解決しようとする課題】
【００１３】
上述のようなディスクドライブ装置１００では、往復移動するヘッドユニット１２０と位置不動のドライバ回路とが、フレキシブル配線ユニット２００のフレキシブル基板２１０により問題なく有線通信することができる。
【００１４】
しかし、上述のようなディスクドライブ装置１００では、図７に示すように、ヘッドユニット１２０が移動すると、金属ベース１１０に対向するフレキシブル基板２１０の下面の前後長が変化する。すると、金属ベース１１０との容量の変化により、フレキシブル基板２１０のインピーダンスが変動する。
【００１５】
しかし、近年のディスクドライブ装置１００は、ヘッドユニット１２０がデータ読書を実行する電気信号の周波数が増大するとともに電力が低減されている。このため、上述のようにフレキシブル基板２１０のインピーダンスが変動すると、ヘッドユニット１２０のデータ読書にエラーが発生することがある。
【００１６】
特に、上述のように移動自在なヘッドユニット１２０を配線するフレキシブル基板２１０は、柔軟性の必要から単層構造に形成されている。このようなフレキシブル基板２１０は、シールド層を有しないので、上述のようなインピーダンス変動が顕著である。
【００１７】
本発明は上述のような課題に鑑みてなされたものであり、電子機器のヘッドユニットの有線通信のエラーを防止することができるフレキシブル配線ユニットおよび電子機器を提供するものである。
【課題を解決するための手段】
【００１８】
本発明のフレキシブル配線ユニットは、前後方向に細長形状で長手方向に内部配線が形成されていて上方にＵ字状に湾曲されるフレキシブル基板と、フレキシブル基板の末端部分に搭載されていて内部配線に接続されている接続コネクタと、上面にフレキシブル基板の末端部分が連結されている非導電性の末端支持部材と、先端部分が所定の移動範囲の最前位置に配置された状態でのフレキシブル基板の下面全体に対向する、所定の板厚の非導電性の基板スペーサ部材と、を有する。
【００１９】
従って、本発明のフレキシブル配線ユニットでは、末端支持部材と基板スペーサ部材とが金属ベースの上面に搭載された状態で、例えば、フレキシブル基板の先端部分にヘッドユニットを搭載することができる。この場合、往復移動するヘッドユニットをフレキシブル基板により問題なく有線通信させることができる。ヘッドユニットが往復移動されると金属ベースに対向するフレキシブル基板の下面の前後長が変化する。しかし、このように対向するフレキシブル基板の下面と金属ベースの上面とに、所定の板厚の非導電性の基板スペーサ部材が常時介在している。このため、金属ベースとの容量の変化によるフレキシブル基板のインピーダンスの変動が所定範囲に維持される。
【００２０】
本発明の電子機器は、金属ベースの上面と平行にヘッドユニットが線形に往復移動する構造の電子機器であって、金属ベースと、前後方向に細長形状で上方にＵ字状に湾曲されているフレキシブル基板と、フレキシブル基板の先端部分に搭載されていて内部配線に接続されているヘッドユニットと、金属ベースの上面と平行にヘッドユニットを線形に往復移動させるヘッド移動機構と、フレキシブル基板の末端部分に搭載されていて内部配線に接続されている接続コネクタと、上面にフレキシブル基板の末端部分が連結されていて金属ベースの上面に搭載されている非導電性の末端支持部材と、金属ベースの上面に搭載されていてヘッドユニットが移動範囲の最前位置に配置された状態でのフレキシブル基板の下面全体に対向する、所定の板厚の非導電性の基板スペーサ部材と、を有する。
【００２１】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２２】
また、本発明では前後および上下の方向を規定しているが、これは本発明の構成要素の相対関係を簡単に説明するために便宜的に規定したものであり、本発明を実施する場合の製造時や使用時の方向を限定するものではない。
【発明の効果】
【００２３】
本発明のフレキシブル配線ユニットおよび電子機器では、例えば、ヘッドユニットが往復移動されると金属ベースに対向するフレキシブル基板の下面の前後長が変化する。しかし、このように対向するフレキシブル基板の下面と金属ベースの上面とに、所定の板厚の非導電性の基板スペーサ部材が常時介在している。このため、金属ベースとの容量の変化によるフレキシブル基板のインピーダンスの変動が所定範囲に維持される。従って、フレキシブル基板のインピーダンス変動によるヘッドユニットの通信エラーを防止することができる。
【発明を実施するための最良の形態】
【００２４】
本発明の実施の一形態を図１ないし図３を参照して以下に説明する。なお、本実施の形態では、図示するように前後左右上下の方向を規定して説明する。しかし、これは説明を簡単とするために便宜的に規定するものであり、本発明を実施する場合の製造時や使用時の方向を限定するものではない。
【００２５】
本実施の形態の電子機器であるディスクドライブ装置４００は、金属ベース１１０、ヘッドユニット１２０、ヘッド移動機構(図示せず)、ディスク駆動機構１３０、フレキシブル配線ユニット３００、等を主要部として有する。
【００２６】
金属ベース１１０は、上面が平坦な平板状に形成されている。ディスク駆動機構１３０は、駆動モータ１３１、ディスク保持部１３２、等を有する。駆動モータ１３１は、軸心方向が上下方向となる状態で金属ベース１１０の上面に固定されている。ディスク保持部１３２は、駆動モータ１３１により回転自在に軸支されており、ディスク媒体１４０を金属ベース１１０の上面と平行に保持する。
【００２７】
フレキシブル配線ユニット３００は、フレキシブル基板２１０、接続コネクタ２２０、末端支持部材３１１、基板スペーサ部材３１２、等を有する。フレキシブル基板２１０は、前後方向に細長形状に形成されており、上方にＵ字状に湾曲されている。
【００２８】
フレキシブル基板２１０は、ヘッドユニット１２０が先端部分に搭載されて内部配線(図示せず)に接続されている。接続コネクタ２２０は、フレキシブル基板２１０の末端部分に搭載されていて内部配線に接続されている。
【００２９】
末端支持部材３１１は、非導電性のＰＥＴ(Polyethylene Terephthalate)などにより所定の板厚に形成されており、上面にフレキシブル基板２１０の末端部分が連結されていて金属ベース１１０の上面に搭載されている。
【００３０】
基板スペーサ部材３１２も、非導電性のＰＥＴなどにより所定の板厚に形成されており、末端支持部材３１１より前方の金属ベース１１０の上面に搭載されている。この基板スペーサ部材３１２は、ヘッドユニット１２０が移動範囲の最前位置に配置された状態でのフレキシブル基板２１０の下面全体に対向する形状に形成されている。
【００３１】
なお、本実施の形態のフレキシブル配線ユニット３００では、上述の末端支持部材３１１と基板スペーサ部材３１２とは、一個の樹脂平板部材３１０として一体に形成されている。また、このような末端支持部材３１１の上面には、フレキシブル基板２１０の末端部分が接着剤層３１３により固定されている。
【００３２】
このフレキシブル基板２１０は、内部配線を一層のみ有する単層構造に形成されている。そして、このフレキシブル基板２１０は、上面に導電性のシールド層２１１と非導電性の絶縁層２１２とが、導電材料や絶縁材料の塗布などにより形成されている。なお、接続コネクタ２２０には、通信ケーブルによりドライバ回路が配線されている(図示せず)。
【００３３】
上述のような構成において、本実施の形態のディスクドライブ装置４００では、一従来例のディスクドライブ装置１００と同様に、ディスク駆動機構１３０によりディスク媒体１４０が回転駆動され、そのディスク媒体１４０の下面と平行に半径方向にヘッドユニット１２０が往復移動される。
【００３４】
このヘッドユニット１２０にはフレキシブル配線ユニット３００のフレキシブル基板２１０を介してドライバ回路が配線されているので、このドライバ回路がヘッドユニット１２０によりディスク媒体１４０にデータ読出やデータ書込などのデータ読書を実行する。
【００３５】
そして、本実施の形態のディスクドライブ装置４００でも、図３に示すように、ヘッドユニット１２０が移動すると、金属ベース１１０に対向するフレキシブル基板２１０の下面の前後長が変化する。
【００３６】
このフレキシブル基板２１０は、ヘッドユニット１２０の円滑な移動を阻害しないために、内部配線を一層のみ有する柔軟な単層構造に形成されている。このように単層構造のフレキシブル基板２１０は、配線層の下面に金属箔などによる強固なシールド層を有しない。このため、ヘッドユニット１２０の移動により金属ベース１１０に対向するフレキシブル基板２１０の下面の前後長が変化すると、そのインピーダンス変動が問題となる。
【００３７】
しかし、本実施の形態のディスクドライブ装置４００では、一従来例のディスクドライブ装置１００とは相違して、上述のように対向するフレキシブル基板２１０の下面と金属ベース１１０の上面とに、所定の板厚の非導電性の基板スペーサ部材３１２が常時介在している。
【００３８】
このため、金属ベース１１０との容量の変化によるフレキシブル基板２１０のインピーダンスの変動が所定範囲に維持される。従って、フレキシブル基板２１０のインピーダンス変動によるヘッドユニット１２０の通信エラーを防止することができる。
【００３９】
しかも、本実施の形態のディスクドライブ装置４００のフレキシブル配線ユニット３００では、末端支持部材３１１と基板スペーサ部材３１２とが一体に形成されている。このため、その構造が簡単で生産性が良好であり、基板スペーサ部材３１２を適正な位置に確実に配置することができる。
【００４０】
なお、本発明は本実施の形態に限定されるものではなく、その要旨を逸脱しない範囲で各種の変形を許容する。例えば、上記形態ではディスク媒体１４０が着脱自在なディスクドライブ装置４００を例示したが、ディスク媒体が固定されているディスクドライブ装置(図示せず)などでもよい。
【００４１】
また、上記形態ではＵ字状に湾曲されたフレキシブル基板２１０の全体がディスク媒体１４０の片側に位置するディスクドライブ装置４００を例示した。しかし、フレキシブル基板２１０のＵ字状の湾曲の内側にディスク媒体が位置するディスクドライブ装置(図示せず)でもよい。
【００４２】
さらに、上記形態ではフレキシブル配線ユニット３００の基板スペーサ部材３１２が末端支持部材３１１と同一の均一な板厚に形成されていることを例示した。しかし、図４に例示する電子機器であるディスクドライブ装置４１０のように、末端支持部材４１１に対して基板スペーサ部材４１２の板厚が変化していてもよい。また、図５に例示する電子機器であるディスクドライブ装置４２０のように、末端支持部材４２１と基板スペーサ部材４２２とが別体に形成されていてもよい。
【００４３】
さらに、上記形態ではディスク媒体１４０を回転自在に軸支するディスク駆動機構１３０がフレキシブル配線ユニット３００の後方に位置することを例示した。しかし、図６に例示するディスクドライブ装置４３０のように、フレキシブル配線ユニット３００の前方にディスク駆動機構１３０が位置してもよい。
【００４４】
この場合、フレキシブル配線ユニット３００の接続コネクタ２２０がディスクドライブ装置４３０の外側に位置するので、そこに通信ケーブル(図示せず)などを容易に結線することができる。
【００４５】
また、上記形態ではフレキシブル配線ユニット３００がディスクドライブ装置４００の金属ベース１１０に搭載されてヘッドユニット１２０の配線に利用されることを例示した。
【００４６】
しかし、本実施の形態のフレキシブル配線ユニット３００は、ディスクドライブ装置４００でのヘッドユニット１２０の配線以外にも、各種の用途に利用することができる(図示せず)。
【００４７】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明の機能を満足する範囲で各種に変更することができる。
【図面の簡単な説明】
【００４８】
【図１】本発明の実施の形態のフレキシブル配線ユニット構造を示す模式的な側面図である。
【図２】電子機器であるディスクドライブ装置の要部の構造を示す模式的な斜視図である。
【図３】ディスクドライブ装置の要部の構造を示す模式的な縦断側面図である。
【図４】一の変形例のディスクドライブ装置の要部の構造を示す模式的な縦断側面図である。
【図５】他の変形例のディスクドライブ装置の要部の構造を示す模式的な縦断側面図である。
【図６】さらに他の変形例のディスクドライブ装置の要部の構造を示す模式的な斜視図である。
【図７】一従来例の電子機器であるディスクドライブ装置の要部の内部構造を示す横断平面図である。
【符号の説明】
【００４９】
１００    ディスクドライブ装置
１１０    金属ベース
１２０    ヘッドユニット
１３０    ディスク駆動機構
１３１    駆動モータ
１３２    ディスク保持部
１４０    ディスク媒体
２００    フレキシブル配線ユニット
２１０    フレキシブル基板
２１１    シールド層
２１２    絶縁層
２２０    接続コネクタ
２３０    末端支持部材
３００    フレキシブル配線ユニット
３１０    樹脂平板部材
３１１    末端支持部材
３１２    基板スペーサ部材
３１３    接着剤層
４００    ディスクドライブ装置
４１０    ディスクドライブ装置
４１１    末端支持部材
４２０    ディスクドライブ装置
４２１    末端支持部材
４２２    基板スペーサ部材
４３０    ディスクドライブ装置
【図１】
2009009631.tif 000003
【図２】
2009009631.tif 000004
【図３】
2009009631.tif 000005
【図４】
2009009631.tif 000006
【図５】
2009009631.tif 000007
【図６】
2009009631.tif 000008
【図７】
2009009631.tif 000009